(57)【要約】  手関節への負担を軽減して、手の腱鞘炎を防止することができるテーピング機能を具備する手関節用バンデージを提供する。  手関節用バンデージ１００は、面ファスナーのループ面１３を有する織物で織成され、着用者の手首に巻回される巻回部１１及び当該着用者の手の甲又は手の平から手首まで配置される支持部１２からなる帯状の本体部１０と、本体部１０の一端１０ａに接合され、着用者の手の指が挿通されるアンカー部２０と、本体部１０の他端１０ｂに接合され、本体部１０のループ面１３に脱着する面ファスナーのフック面３３を有する係着部３０と、を備える。
2015133480.tif 000002
【特許請求の範囲】
【請求項１】
面ファスナーのループ面を有する織物で織成され、着用者の手首に巻回される巻回部及び前記着用者の手の甲又は手の平から手首まで配置される支持部からなる帯状の本体部と、
前記本体部の一端に接合され、前記着用者の手の指が挿通されるアンカー部と、
前記本体部の他端に接合され、前記本体部のループ面に脱着する面ファスナーのフック面を有する係着部と、
を備えることを特徴とする手関節用バンデージ。
【請求項２】
請求項１に記載の手関節用バンデージにおいて、
前記支持部が前記本体部の一端側に配設され、前記巻回部が前記本体部の他端側に配設され、かつ、前記支持部と前記巻回部が同幅の直線状であることを特徴とする手関節用バンデージ。
【請求項３】
請求項１又は２に記載の手関節用バンデージにおいて、
前記本体部の長手方向の最大伸度が、４０％〜８０％であることを特徴とする手関節用バンデージ。
【請求項４】
請求項１乃至３のいずれかに記載の手関節用バンデージにおいて、
前記アンカー部は、帯状体の両端を前記本体部の一端に接合して環状に形成されることを特徴とする手関節用バンデージ。
【請求項５】
請求項４に記載の手関節用バンデージにおいて、
前記アンカー部と前記本体部の一端との接合部が、前記本体部の幅方向の長さよりも長く前記アンカー部側を凸にして縫製されることを特徴とする手関節用バンデージ。
【請求項６】
請求項１乃至５のいずれかに記載の手関節用バンデージにおいて、
前記着用者の左手又は右手の手首に着用可能な左右兼用であることを特徴とする手関節用バンデージ。
【請求項７】
請求項１乃至６のいずれかに記載の手関節用バンデージにおいて、
文字、図形若しくは記号又はこれらの結合からなる紋様が、前記本体部の表地面に形成されることを特徴とする手関節用バンデージ。
【発明の詳細な説明】
【技術分野】
【０００１】
この発明は、着用者の日常動作を支援することのできる手関節用バンデージに関し、特に、手関節の安定性を向上して、手関節への負担を軽減すると共に、手の腱鞘炎を防止するテーピング機能を具備する手関節用バンデージに関するものである。
【背景技術】
【０００２】
従来、手関節、足関節若しくは膝関節の捻挫などの外傷予防、これらの外傷を受傷したときの応急処置、受傷後から完全回復までのリハビリテーションの補助、又は、外傷等の再発予防などの医療用の目的に対応するために、帯状のテーピングテープ（身体の部分に貼着して使用する伸縮性又は非伸縮性粘着布テープ）又はバンデージや丸編で編成された略筒状のサポーターなどが使用されている。【０００３】
これらのうち、テーピングテープは、使い切りで経済的ではなく、使用者の体質によっては粘着剤で使用者の皮膚にかぶれを生じさせるうえに、高齢者などの皮膚の弱い使用者にはテーピングテープを剥がす際に表皮剥離を生じさせる虞があるという課題がある。
また、丸編のサポーターは、略筒状であるため、受傷した部位を無理に曲げて挿入にする場合に痛みを伴う虞があるうえに、テーピングテープと比較して固定力が劣るという課題がある。
これに対し、バンデージは、経糸方向に伸縮性を有する帯状織物であるため、患部に追従し易く、着用者自身で固定力を調整しながら巻回させることができ、着用者の体の動きに対して無理な力が掛からず、安定した固定力が得られ、反復使用が可能なために経済的である。【０００４】
例えば、従来の手首矯正具は、手の親指またはその他の指に係止される係止部と、手首に環状に巻回されて固定され、当該巻回の方向に沿って伸縮する可撓性を有する帯状の環状巻回部と、これら係止部と環状巻回部とを繋ぎ、手の親指またはその他の指から手首にかけて螺旋状に巻回され、当該巻回の方向に沿って伸縮する可撓性を有する帯状の螺旋巻回部とを備える（例えば、特許文献１参照）。
【先行技術文献】
【特許文献】
【０００５】
【特許文献１】特開２０１１−４５６２８号公報
【発明の概要】
【発明が解決しようとする課題】
【０００６】
従来の手首矯正具は、螺旋巻回部（係止部）及び環状巻回部が連続して帯状に一体となっているため、螺旋巻回部及び環状巻回部の素材が同一であり、螺旋巻回部及び環状巻回部の最大伸度（最高荷重で引き伸ばしたときの最長の長さ（伸び寸法）と元の長さ（置き寸法）との差の、元の長さに対する百分率）が同一になる。特に、従来の手首矯正具は、矯正具としての所望の効果を得るために、螺旋巻回部の伸び率を抑制した場合に、手の指を挿入する係止部の周囲の生地（螺旋巻回部）の最大伸度も低下することになり、生地の伸長に伴う係止部（穴）の変形等の自由度を低下させ、係止部近傍の生地の浮き及び皺の発生や、係止部に挿入した手の指に痛みを生じさせるという課題がある。
なお、特許文献１には、手首矯正具の螺旋巻回部と環状巻回部とは、一体の同じ構造に限られず、膝矯正具又は肘矯正具の螺旋巻回部と環状巻回部のように、構造の異なるものでもよい旨の記載があるが、螺旋巻回部及び環状巻回部の最大伸度の違いについての記載はない。特に、係止部は、螺旋巻回部を加工して作製されるものであり、螺旋巻回部及び環状巻回部が一体又は別体であるかに関わらず、螺旋巻回部の最大伸度に影響するものであり、前述の課題を有することになる。【０００７】
この発明は、上述のような課題を解決するためになされたもので、手の指が挿通される係止部（アンカー部）に自由度を持たせつつ、手関節の安定性を向上して、手関節への負担を軽減することができる手関節用バンデージを提供することを目的とする。
【課題を解決するための手段】
【０００８】
この発明に係る手関節用バンデージにおいては、面ファスナーのループ面を有する織物で織成され、着用者の手首に巻回される巻回部及び着用者の手の甲又は手の平から手首まで配置される支持部からなる帯状の本体部と、本体部の一端に接合され、着用者の手の指が挿通されるアンカー部と、本体部の他端に接合され、本体部のループ面に脱着する面ファスナーのフック面を有する係着部と、を備えるものである。
なお、この発明において、「配置」とは「者（着用者の部位）に対する所定の位置に当てて止めて置くこと」を意味し、「配設」とは「物（手関節用バンデージ）に対する所定の位置に設けたこと」を意味する。
【発明の効果】
【０００９】
この発明に係る手関節用バンデージにおいては、手の指が挿通されるアンカー部に自由度を持たせつつ、手関節の安定性を向上して、手関節への負担を軽減することができる。
【図面の簡単な説明】
【００１０】
【図１】（ａ）は第１の実施形態に係る手関節用バンデージの概略構成を示す正面図であり、（ｂ）は図１（ａ）に示す手関節用バンデージの背面図である。
【図２】（ａ）は図１に示す本体部に紋様を形成した手関節用バンデージの概略構成を示す正面図であり、（ｂ）は図２（ａ）に示す手関節用バンデージの背面図である。
【図３】（ａ）は図１（ａ）に示す手関節用バンデージの左側面図であり、（ｂ）は図１（ａ）に示す手関節用バンデージの右側面図であり、（ｃ）は図１（ａ）に示す手関節用バンデージの平面図であり、（ｄ）は図１（ａ）に示す手関節用バンデージの底面図であり、（ｅ）は図１に示す手関節用バンデージの斜視図である。
【図４】（ａ）は図１及び図３に示す手関節用バンデージのアンカー部に手の指を挿入した状態を示す説明図であり、（ｂ）は本体部を左手の尺骨頭に対応する部分から手首に半回転させた状態を示す説明図であり、（ｃ）は図４（ｂ）に示す状態から手首にさらに半回転させた状態を示す説明図であり、（ｄ）は図１及び図３に示す手関節用バンデージの着用状態を手の甲側からみた説明図であり、（ｅ）は図１及び図３に示す手関節用バンデージの着用状態を手の平側からみた説明図である。
【図５】（ａ）は図１に示す本体部のループ面の織物組織の一例を説明するための説明図であり、（ｂ）は図５（ａ）に示す織物組織の矢視Ａ−Ａ’線の断面図である。
【図６】（ａ）は図２に示す本体部のループ面及び紋様部分の織物組織の一例を説明するための説明図であり、（ｂ）は図６（ａ）に示す織物組織の矢視Ｂ−Ｂ’線の断面図である。
【図７】図１に示す本体部の最大伸度の違いによる効果感の評価結果を示す表である。
【図８】（ａ）は面ファスナーのループ面を有しない本体部の表地面の織物組織の一例を説明するための説明図であり、（ｂ）は図８（ａ）に示す織物組織の矢視Ｃ−Ｃ’線の断面図である。
【図９】（ａ）は面ファスナーのループ面を有しない本体部の紋様部分の織物組織の一例を説明するための説明図であり、（ｂ）は図９（ａ）に示す織物組織の矢視Ｄ−Ｄ’線の断面図である。
【発明を実施するための形態】
【００１１】
（本発明の第１の実施形態）
本発明において、バンデージとは「経糸方向に伸縮性を有する帯状織物を主材とし、当該帯状織物が身体の一部に巻回されることで、当該身体の機能を補助することができるもの」を意味し、このような効力を有するものであれば、バンデージと表現されていなくても（例えば、テーピングサポーター、サポーターバンドなど）本発明のバンデージの範囲内である。
本発明の手関節用バンデージ１００は、図１〜図４に示すように、面ファスナーのループ面１３を有する織物で織成され、着用者の手首に巻回される巻回部１１及び着用者の手の甲又は手の平から手首まで張った状態で配置される支持部１２からなる帯状の本体部１０と、本体部１０の一端１０ａに接合され、着用者の手の指が挿通されるアンカー部２０と、本体部１０の他端１０ｂに接合され、本体部１０のループ面１３に脱着する面ファスナーのフック面３３を有する係着部３０と、を備える。なお、手関節用バンデージ１００は、着用者の左手又は右手の手首に着用可能な左右兼用である。
【００１２】
本体部１０は、ニードル織機やジャカードニードル織機などの力織機により、経糸１及び緯糸２を組み合わせて織成され、経糸方向（長手方向Ｌ）に伸縮性を有し、緯糸方向（幅方向Ｗ）の伸縮性を抑制した細幅の伸縮織物からなる。
更に本体部１０は、着用者の手首に巻回される巻回部１１と着用者の手の甲又は手の平から手首まで張った状態で配置される支持部１２から構成され、支持部１２が本体部１０の一端１０ａ側に配設され、巻回部１１が本体部１０の他端１０ｂ側に配設され、かつ、支持部１２と巻回部１１が同幅の直線状である。
【００１３】
また、本体部１０の経糸１は、図５に示すように、緯糸２と共に織物の一の面（例えば、裏地面）を構成する経地糸１ａと、経糸方向で隣り合う複数の緯糸２上に浮いて織物の他の面（例えば、表地面）にループを形成するパイル糸１ｂと、経糸方向に伸縮性を与える弾性糸１ｃと、を備える。以後、本明細書においてループ面１３を有する面を「表地面」と称し、その背面を「裏地面」と称する。
緯糸２は、経地糸１ａと共に織物の裏地面を構成する緯地糸２ａと、緯地糸２ａに並設される熱融着性を有する融着糸２ｂと、を備え、１本の緯地糸２ａ及び１本の融着糸２ｂを並設して１本の緯糸２として構成される。なお、図５及び図６においては、１本の緯地糸２ａ及び１本の融着糸２ｂを１本の緯糸２として図示している。また、図５（ｂ）及び図５（ｂ）においては、並設される緯糸２を基準にして、上側が表地面となり、下側が裏地面となる。
【００１４】
また、本体部１０は、ジャカードニードル織機を用いることにより、経糸方向（長手方向Ｌ）で隣り合う複数の緯糸２に対して、経糸１の経地糸１ａを表地面側に浮かせ、経糸１のパイル糸１ｂを裏地面側に沈ませて、図２に示すように、自由に開口するジャガード組織にて、文字、図形若しくは記号又はこれらの結合からなる紋様１４を表地面に部分的に形成することができ、紋様１４の領域を除き、表地面の略全面にループ（ループ面１３）を有することになる。
【００１５】
次に、図５を用いて本実施形態に係る本体部１０の織物組織の一例を説明する。すなわち、ループ面１３をなす経地糸１ａは、図５（ｂ）に示すように、１本の緯糸２（緯地糸２ａ、融着糸２ｂ）に対して上側と通って浮き、隣り合う３本の緯糸２（緯地糸２ａ、融着糸２ｂ）に対して下側を通って沈む、緯糸２（緯地糸２ａ、融着糸２ｂ）との１−３の交差浮沈を繰り返して、織物組織を構成する。
また、ループ面１３をなすパイル糸１ｂは、図５（ｂ）に示すように、隣り合う６本の緯糸２（緯地糸２ａ、融着糸２ｂ）に対して上側を通って浮き、隣り合う２本の緯糸２（緯地糸２ａ、融着糸２ｂ）に対して下側を通って沈み、隣り合う２本の緯糸２（緯地糸２ａ、融着糸２ｂ）に対して上側を通って浮き、隣り合う２本の緯糸２（緯地糸２ａ、融着糸２ｂ）に対して下側を通って沈む、緯糸２（緯地糸２ａ、融着糸２ｂ）との６−２−２−２の交差浮沈を繰り返して、織物組織を構成する。
また、ループ面１３をなす弾性糸１ｃは、図５（ｂ）に示すように、１本の緯糸２（緯地糸２ａ、融着糸２ｂ）に対して浮き、１本の緯糸２（緯地糸２ａ、融着糸２ｂ）に対して沈む、緯糸２（緯地糸２ａ、融着糸２ｂ）との１−１の交差浮沈を繰り返して、織物組織を構成する。
なお、図５に示す経地糸１ａ、パイル糸１ｂ及び弾性糸１ｃによる織物組織は、一例であり、表地面にループ（ループ面１３）を有することができるのであれば、この織物組織に限られるものではない。
【００１６】
続いて、図６を用いて本実施形態に係る本体部１０に形成する紋様１４の織物組織の一例を説明する。すなわち、紋様１４をなす経地糸１ａは、図６（ｂ）に示すように、隣り合う３本の緯糸２（緯地糸２ａ、融着糸２ｂ）に対して上側を通って浮き、１本の緯糸２（緯地糸２ａ、融着糸２ｂ）に対して下側を通って沈む、緯糸２（緯地糸２ａ、融着糸２ｂ）との３−１の交差浮沈を繰り返して、織物組織を構成する。
また、紋様１４をなすパイル糸１ｂは、図６（ｂ）に示すように、隣り合う２本の緯糸２（緯地糸２ａ、融着糸２ｂ）に対して下側を通って沈み、隣り合う２本の緯糸２（緯地糸２ａ、融着糸２ｂ）に対して上側を通って浮く、緯糸２（緯地糸２ａ、融着糸２ｂ）との２−２の交差浮沈を繰り返して、織物組織を構成する。
また、紋様１４をなす弾性糸１ｃは、図６（ｂ）に示すように、１本の緯糸２（緯地糸２ａ、融着糸２ｂ）に対して上側を通って浮き、１本の緯糸２（緯地糸２ａ、融着糸２ｂ）に対して下側を通って沈む、緯糸２（緯地糸２ａ、融着糸２ｂ）との１−１の交差浮沈を繰り返して、織物組織を構成する。
なお、図６に示す経地糸１ａ、パイル糸１ｂ及び弾性糸１ｃによる織物組織は、一例であり、表地面のループ面１３の間に紋様１４を形成することができるのであれば、この織物組織に限られるものではない。
【００１７】
また、本体部１０は、経糸１及び緯糸２の材質（特に、弾性糸１ｃ及び緯地糸２ａの太さ）並びに緯糸２の打込み回数（本数）により、経糸方向（長手方向Ｌ）の最大伸度を自在に調整することが可能である。本発明において最大伸度とは、「最高荷重で引き伸ばしたときの最長の長さ（伸び寸法）と元の長さ（置き寸法）との差の、元の長さに対する百分率」を示す。
【００１８】
特に、本実施形態に係る本体部１０の経糸方向（長手方向Ｌ）の最大伸度は、後述の官能評価の総合的判断の結果から、４０％〜８０％に設定することが好ましく、４５％〜７５％がより好ましく、６０％が最も好ましい。
【００１９】
ここで、最大伸度を６０％に設定した本体部１０の実施形態について説明する。本実施形態に係る本体部１０の経地糸１ａは、太さ１００番手のウーリーナイロン双糸が好ましく、本実施形態に係る本体部１０には、１３２本のウーリーナイロン双糸を用いるのが好ましい。
また、本実施形態に係る本体部１０のパイル糸１ｂは、１０本のナイロンフィラメントを撚り合わせて熱を加えて、さらに１０本のナイロンフィラメントの撚り方向と反対方向に撚り加工した太さ２１０デニールの特殊加工糸（２１０Ｄ−１０Ｆ）であり、本実施形態に係る本体部１０には、１３２本の特殊加工糸（２１０Ｄ−１０Ｆ）を用いるのが好ましい。
また、本実施形態に係る本体部１０の弾性糸１ｃは、太さ５６０デニールのポリウレタン糸が好ましく、本実施形態に係る本体部１０には、３６本のポリウレタン糸を用いるのが好ましい。
【００２０】
すなわち、前述の経糸１の材質における本体部１０は、例えば、幅が５ｃｍであれば、経糸１（経地糸１ａ、パイル糸１ｂ、弾性糸１ｃ）による経密度が、１４８５．６Ｄ／ｍｍ（＝（（２１０Ｄ×１３２本）＋（１００Ｄ×２本×１３２本）＋（５６０Ｄ×３６本））／５０ｍｍ）である。
【００２１】
なお、本実施形態に係る本体部１０のパイル糸１ｂは、フィラメントカウントが１０本であることにより、フィラメントカウントがローカウント（例えば、７本）の場合と比較して、密集するフィラメントの接着力が高く、織物（本体部１０）の風合いが柔らかいという利点がある。
また、本実施形態に係る本体部１０の弾性糸１ｃは、太さを５６０デニールにすることにより、太い弾性糸（例えば、１１２０デニール）の場合と比較して、織物（本体部１０）の厚みを薄くして織物自体を柔らかくすることができる。
【００２２】
さらに、本実施形態に係る本体部１０の緯地糸２ａは、太さ１５０デニールのポリエステルウーリー糸（ＥＷ：polyester woolly）１本を用いるのが好ましい。
また、本実施形態に係る本体部１０の融着糸２ｂには、太さ１００デニールのナイロン熱融着糸（例えば、東レ株式会社製「エルダー（登録商標）」）１本を用いることが好ましい。
また、本実施形態に係る本体部１０には、力織機により１本の緯地糸２ａ及び１本の融着糸２ｂが緯糸２として同時に打込まれ、緯糸２（緯地糸２ａ、融着糸２ｂ）の打込み回数（本数）が２．５４ｃｍ（１インチ）当り３６．９回（各３６．９本）である。
【００２３】
すなわち、前述の緯糸２の材質及び打込み回数（本数）における本体部１０は、緯糸２（ポリエステルウーリー糸、ナイロン熱融着糸）による緯密度が、９２２５Ｄ／インチ（＝（１５０Ｄ＋１００Ｄ）×３６．９回／インチ）である。
なお、本実施形態に係る本体部１０の緯糸２の緯地糸２ａは、太さを１５０デニールにすることにより、太い緯糸の緯地糸（例えば、３００デニール）の場合と比較して、織物（本体部１０）の厚みを薄くすることができる。
【００２４】
このように、本実施形態に係る本体部１０は、前述の経糸１及び緯糸２の材質（特に、弾性糸１ｃ及び緯地糸２ａの太さ）並びに緯糸２の打込み回数（本数）により、経糸方向（長手方向Ｌ）の最大伸度を６０％に設定することができる。
【００２５】
なお、本実施形態に係る弾性糸１ｃの太さについては、５６０デニールを一例として挙げてきたが、本発明において、入手（量産）可能な１ランク下の太さの４２０デニールや１ランク上の太さの１１２０デニールを選択し、前述の緯糸２の太さ及び打込み回数（本数）を変更してもよい。すなわち、本実施形態に係る弾性糸１ｃの太さは、４２０デニール〜１１２０デニールであれば、本体部１０の経糸方向の最大伸度を前記範囲内の最大伸度に設定することが可能である。
【００２６】
また、本実施形態に係る緯糸２の緯地糸２ａの太さについては、１５０デニールを一例として挙げてきたが、本発明において、入手（量産）可能な１ランク下の太さの１００デニールや１ランク上の太さの３００デニールを選択し、前述の弾性糸１ｃの太さ及び緯糸２の打込み回数（本数）を変更してもよい。すなわち、本実施形態に係る緯糸２の緯地糸２ａの太さは、１００デニール〜３００デニールであれば、本体部１０の経糸方向の最大伸度を前記範囲内の最大伸度に設定することが可能である。
【００２７】
また、本実施形態に係る緯糸２（緯地糸２ａ、融着糸２ｂ）の打込み回数（本数）については、２．５４ｃｍ（１インチ）当り３６．９回（各３６．９本）を一例として挙げてきたが、本発明において、２．５４ｃｍ当り３２．８回（各３２．８本）〜４１．０回（各４１．０本）を選択し、前述の弾性糸１ｃ及び緯糸２の太さを変更してもよい。すなわち、本実施形態に係る緯糸２（緯地糸２ａ、融着糸２ｂ）の打込み回数（本数）は、２．５４ｃｍ当り３２．８回（各３２．８本）〜４１．０回（各４１．０本）であれば、本体部１０の経糸方向の最大伸度を前記範囲内の最大伸度に設定することが可能である。
【００２８】
なお、本体部１０の厚みは、厚すぎる場合に、着用者の身体の一部にバンデージを巻回する際に嵩張り巻き難くなり、薄すぎる場合に、バンデージの織物自体が折れ易く所望の固定力が得られない。このために、本体部１０の厚みは、バンデージを巻回し易く、所望の固定力が得られる厚みに設定することが好ましく、例えば、本体部１０の経糸方向（長手方向Ｌ）の最大伸度が６０％であれば、３ｍｍ以下に設定することが好ましい。
【００２９】
また、本実施形態に係る本体部１０には、着用者の手首に本体部１０を巻回した場合に外側となる面（表地面）にループ面１３を配設しているので、本体部１０に配設した係着部３０（フック面３３）は、脱着の容易性及び係着位置の自由度から、本体部１０の他端１０ｂの裏地面側に配設する。
【００３０】
また、本体部１０は、着用者の手の甲又は手の平を支持する部分（支持部１２）の長さと、着用者の手首を保護するために、着用者の手首を少なくとも一周する部分（巻回部１１）の長さが必要であり、性別や年齢等により手の大きさに個人差はあるが、例えば、２８ｃｍ〜３３ｃｍの長さに設定することが好ましい。また、本体部１０は、着用者の腱鞘炎の治療（手関節の固定）を効果的に行なうために、ある程度の幅を要し、例えば、３ｃｍ〜７ｃｍに設定することが好ましい。
【００３１】
アンカー部２０は、着用者の手の指を挿通させることにより、着用者の手関節に対して手関節用バンデージ１００を位置決めすると共に、着用者の手首に対する本体部１０の巻回方向の回転移動を抑制して位置ずれを防止するものである。
【００３２】
アンカー部２０は、ニードル織機やジャカードニードル織機などの力織機により、経糸１及び緯糸２を組み合わせて織成され、経糸方向（周方向、長手方向）に伸縮性を有し、緯糸方向（幅方向）の伸縮性を抑制した細幅の伸縮織物からなる。なお、本実施形態に係るアンカー部２０は、紋様１４を形成しないため、ニードル織機により織成される。
【００３３】
また、アンカー部２０の経糸１は、緯糸２と共に織物の一の面（例えば、裏地面）を構成する経地糸１ａと、経糸方向に伸縮性を与える弾性糸１ｃと、を備える。
【００３４】
なお、本実施形態に係るアンカー部２０の経地糸１ａは、太さ７０番手のウーリーナイロン双糸が好ましく、本実施形態に係るアンカー部２０には、１８４本のウーリーナイロン双糸を用いるのが好ましい。
また、本実施形態に係るアンカー部２０の弾性糸１ｃは、太さ８４０デニールのポリウレタン糸が好ましく、本実施形態に係るアンカー部２０には、２７本のポリウレタン糸を用いるのが好ましい。
【００３５】
すなわち、前述の経糸１の材質におけるアンカー部２０は、例えば、幅が３ｃｍであれば、経糸１（経地糸１ａ、弾性糸１ｃ）による経密度が、１６１４．６６Ｄ／ｍｍ（＝（（７０Ｄ×２本×１８４本）＋（８４０Ｄ×２７本））／３０ｍｍ）である。
【００３６】
さらに、本実施形態に係るアンカー部２０の緯地糸２ａには、太さ１５０デニールのポリエステルウーリー糸１本を用いることが好ましく、本実施形態に係るアンカー部２０には、緯糸２（緯地糸２ａ）の打込み回数（本数）が２．５４ｃｍ（１インチ）当り３３．９回（３３．９本）である。
【００３７】
すなわち、前述の緯糸２の材質及び打込み回数（本数）におけるアンカー部２０は、緯糸２（ポリエステルウーリー糸）による緯密度が、５０８５Ｄ／インチ（＝１５０Ｄ×３３．９回／インチ）である。
【００３８】
このように、本実施形態に係るアンカー部２０は、前述の経糸１及び緯糸２の材質（特に、弾性糸１ｃ及び緯地糸２ａの太さ）並びに緯糸２の打込み回数（本数）により、周方向（長手方向、経糸方向）の最大伸度を２４０％としているが、一般的にアンカー部２０の最大伸度は、２００％〜２８０％に設定することが好ましい。
【００３９】
また、手関節用バンデージ１００は、アンカー部２０の周方向（長手方向、経糸方向）の最大伸度が本体部１０の長手方向Ｌ（経糸方向）の最大伸度よりも大きいことにより、アンカー部２０の柔軟性を持たせつつ、本体部１０の緊締力により手関節を固定して手関節の安定性を向上し、手関節への負担を軽減することができる。
【００４０】
また、本実施形態に係るアンカー部２０は、伸縮織物である帯状体の両端を本体部１０の一端１０ａに接合（例えば、縫合）して環状に形成されることにより、本体部１０と別部材として、周方向（長手方向、経糸方向）の最大伸度を本体部１０の長手方向Ｌ（経糸方向）の最大伸度と異ならせたうえで、手関節用バンデージ１００を簡易に製造することができる。
特に、本実施形態に係るアンカー部２０は、本体部１０との接合により、図３（ｅ）に示すように、本体部１０の表地面側が小径部とし、本体部１０の裏地面側が大径部とする先細状の略円錐筒となる。これにより、手関節用バンデージ１００は、着用者の手の指がアンカー部２０に挿入された場合に、アンカー部２０の内側面が手の指の付け根の形状にフィットして、アンカー部２０における浮きや皺の発生を抑制することができる。
【００４１】
また、アンカー部２０と本体部１０の一端１０ａとの接合部４０は、本体部１０の幅方向Ｗの長さよりも長くアンカー部２０側を凸にして縫製される。特に、本実施形態に係る本体部１０の一端１０ａは、図１に示すように、例えば、頂角を約１３５度とする２つの斜辺の長さが等しい山型（略くの字状）に突出しており、一の斜辺にアンカー部２０の一端２１が縫製され、他の斜辺にアンカー部２０の他端２２が縫製されているが、前記頂角は、１２０度〜１５０度の範囲に設定することが好ましい。
【００４２】
このように、手関節用バンデージ１００は、接合部４０がアンカー部２０に向けて凸状に縫製されることにより、手関節用バンデージ１００を着用者の手首に巻回する場合に、本体部１０の巻回（牽引）方向に対応して、接合部４０での捩れを吸収し、接合部４０近傍の浮きや皺の発生を抑制することができる。
【００４３】
なお、縫製の種類には、フラットシーマ（四本針縫製）、オーバーロック、三点千鳥などがあるが、本実施形形態に係る接合部４０は、合わせ部分が薄くなり、縫い目を抑え込む力で縫い目が平らで丈夫に仕上がり、山型裁断により立体に沿い易く、生地裏面に縫い代がないために肌に縫製箇所が当たらず着用感が良好であるというメリットを有するフラットシーマで縫製される。
【００４４】
また、アンカー部２０は、着用者の１本又は複数本の手の指を挿入するために、ある程度の長さが必要であり、例えば、７ｃｍ〜１１ｃｍの長さに設定することが好ましい。また、アンカー部２０の幅が狭い場合には、着用者が手関節用バンデージ１００を着用する際に、本体部１０からの引張り応力により、アンカー部２０から手の指の係止部分に掛かる圧力が高くなり、手の指に痛みを生じさせる場合がある。このため、アンカー部２０の幅は、ある程度の幅が必要であり、例えば、２ｃｍ〜４ｃｍに設定することが好ましい。
【００４５】
本実施形態に係る係着部３０は、例えば、図１（ｂ）に示すように、長方形と等脚台形とを組み合わせた平面形状であり、長方形部分３１が本体部１０の裏地面に縫製され、等脚台形部分３２が本体部１０の他端１０ｂから突出している。このように、係着部３０は、等脚台形部分３２が本体部１０の他端１０ｂから突出していることにより、本体部１０と重畳しない分だけ薄くなり、等脚台形部分３２を着用者の手の指で把持させ易くし、本体部１０のループ面１３に対してフック面３３を容易に脱着することができる。
【００４６】
つぎに、図１及び図３に示す手関節用バンデージ１００の着用方法について、図４を用いて説明する。
なお、以下の説明においては、着用者の左手に手関節用バンデージ１００を着用する場合について説明するが、着用者の右手に手関節用バンデージ１００を着用する場合は、本体部１０の手首への巻回方向が逆方向になる以外は、左手の着用方法と同様である。
【００４７】
着用者は、図４（ａ）に示すように、左手の手の平が見える状態で、手関節用バンデージ１００のアンカー部２０を手の第１指（母指、親指）に掛ける（アンカー部２０に手の第１指を挿通する）。
そして、着用者は、右手で本体部１０の他端１０ｂを把持しながら本体部１０を牽引し、左手の第１指の付け根から尺骨頭に対応する部分にかけて手の甲側で伸長状態の本体部１０（支持部１２）を配置させる。なお、伸長状態とは、着用者が手関節用バンデージ１００を着用後に巻回位置を微調整可能にする伸び代を有する状態を示す。
そして、着用者は、図４（ｂ）及び図４（ｃ）に示すように、伸長状態の本体部１０（巻回部１１）を左手の尺骨頭に対応する部分から手首を周回させた後、図４（ｄ）及び図４（ｅ）に示すように、本体部１０の他端１０ｂにある係着部３０のフック面３３を本体部１０（巻回部１１）のループ面１３に係着させて、完了する。
【００４８】
なお、前述の手関節用バンデージ１００の着用方法においては、アンカー部２０に挿通させる着用者の手の指を第１指として説明したが、他の手の指（第２指（示指、ひとさし指）、第３指（中指）、第４指（薬指）、第５指（小指））を１本又は複数本をアンカー部２０に挿通させて着用することも可能である。
また、前述の手関節用バンデージ１００の着用方法においては、手の甲側から本体部１０を巻回する場合について説明したが、第１指を手の甲側に反らすことが出来ない場合は、手の平側から本体部１０を逆方向に巻回して着用することも可能である。
【００４９】
つぎに、本実施形態に係る手関節用バンデージ１００の本体部１０における経糸方向の最大伸度の最適な範囲について、試用試験の試験結果に基づいて説明する。
なお、試用試験には、図１に示すように、下記の表１に示す経糸１及び緯糸２の材質並びに緯糸２の打込み回数（本数）により織成された最大伸度が４５％、６０％又は７５％である本体部１０（長さ：３３ｃｍ、幅：５ｃｍ）と、アンカー部２０と、係着部３０と、を備えた手関節用バンデージ１００（以下、実施例１、実施例２及び実施例３とそれぞれ称す）を作製して使用した。
また、最大伸度が３５％又は９０％である本体部１０（長さ：３３ｃｍ、幅：５ｃｍ）を用いて、上記実施例と同様に手関節用バンデージ（以下、比較例１及び比較例２とそれぞれ称す）を作製して、試用試験に使用した。
さらに、下記の表１に示す経糸１及び緯糸２の材質並びに緯糸２の打込み回数（本数）からなる市販の手関節用バンデージ（以下、比較例３と称す）を用いて、試用試験に使用した。
なお、比較例３は、面ファスナーとしてのループ面を有していないため、経糸におけるパイル糸及び緯糸における融着糸を備えていない。
【００５０】
【表１】
2015133480.tif 000003
【００５１】
試用試験は、図４に示すように、着用者の左手に手関節用バンデージを着用し、図７の評価項目における着用者の効果感の官能評価（計５人）を実施した。評価方法は、先ずは各着用者にて各評価項目に対する官能評価を３段階（３：とても良い、２：良い、１：悪い）で点数化して、各評価項目における着用者全員（５人）の平均点を算出した。その後、実施例１〜３及び比較例１〜３について、各評価項目の合計点及び平均点を算出して、総合的に平均点が２点以上を及第点と判断した。
【００５２】
なお、図７の評価項目「固定力」は、手関節の掌屈又は背屈の可動域抑制力であれば、荷物の持ち運び、電車若しくはバスの吊り革を使用する場合、スポーツ時、布団干し、又は、自動二輪車のクラッチなどの動作における必要以上に力を使う掌屈又は背屈の可動域の抑制を想定している。
また、橈屈又は尺屈の可動域抑制力であれば、フライパンを左右に振る、コップを持つ、釣竿を振る、スポーツ時などの動作における必要以上に力を使う橈屈又は尺屈の可動域の抑制を想定している。
【００５３】
さらに、図７の評価項目「痛み」について、織物の圧迫力による痛みであれば、織物の最大伸度が小さい場合は、筋肉又は関節の動きや皮膚の伸び縮みに織物が追従できず、圧迫力をより強く感じて痛みを覚え易いと考えられ、織物の最大伸度が大きい場合は、可動域を抑制する固定力が弱くなると考えられる。
また、織物の硬さによる擦れの痛みであれば、織物の最大伸度が小さい場合は、筋肉や皮膚の動きに追従できないため、織物と皮膚が擦れて痛みを感じ易いと考えられ、織物の最大伸度が大きい場合は、筋肉や肌に対して添うように織物が伸びるため、肌へのトラブルが少ないと考えられる。
【００５４】
また、図７の評価項目「面ファスナーの剥がし易さ」について、面ファスナーが剥がし易いということは、非力な着用者にも面ファスナーの着脱使用に支障が無いと共に、面ファスナーのループ面を有する織物自体が硬くて型崩れし難いことになる。
また、面ファスナーが剥がし難いということは、着用者の運動時に、バンデージの着用部位における関節の可動や筋肉の膨張により、面ファスナーのフック面がループ面から外れることが無い反面、面ファスナーのフック面及びループ面間の強い係着力により、面ファスナーのループ面を有する織物からパイル糸を引っ張り出し、面ファスナーを剥がした場合に、パイル糸が織物から突出して織物の毛羽立ちを生じさせることになる。
【００５５】
さらに、図７の評価項目「織物の密着性」について、織物の最大伸度が小さい場合は、筋肉や皮膚の動きに追従できないため、生地が密着せずに肌抵抗が減少し、バンデージの効果を弱めると考えられ、織物の最大伸度が大きい場合は、生地と肌が密着して固定され易く、肌や筋肉の動きにフィットし、バンデージの効果を得易いと考えられる。
【００５６】
また、図７の評価項目「巻き易さ」について、織物の最大伸度が小さい場合は、肌の曲面に沿い難く、本体部１０の巻回が困難である。また、織物の最大伸度が大きい場合は、織物と肌が密着して固定され易く、肌や筋肉の動きにフィットし易いが、本体部１０の伸びの限界点が感じ難いため、本体部１０の巻回数が多くなり、本体部１０の巻回が困難となる。
【００５７】
また、図７の評価項目「固定力の調整のし易さ」について、織物の最大伸度が小さい場合は、強固な固定に適しているが、固定力の調整可能な範囲が狭いため、非力な着用者にとって固定力の調整が難しくなる。
【００５８】
さらに、図７の評価項目「織物の折れ難さ」について、織物の最大伸度が小さい場合は、織目が詰まっているため、織物の腰も有り、織物が折れ難い。また、織物の最大伸度が大きい場合は、織目が空いているため、織物が折れ易い織組織であり、織物が折れることで本体部１０の構造が弱くなると考えられる。
【００５９】
以上のような評価項目において、実施例２は、図７に示すように、ほぼ全ての評価項目において良好な評価結果を得ている。
また、実施例３は、固定力が弱いものの、他の評価項目において良好な評価結果を得ている。
また、実施例１は、痛みが有り、織物の密着性が悪いものの、他の評価項目において良好な評価結果を得ている。これに対し、比較例１、比較例２及び比較例３は、ほとんどの評価項目において悪い評価結果を得ている。
以上より、総合的な評価結果としては、平均点が２点以上である実施例１（最大伸度４５％）、実施例２（最大伸度６０％）及び実施例３（最大伸度７５％）が、本体部１０として、最適であることがわかる。
すなわち、本実施形態に係る手関節用バンデージ１００の本体部１０における経糸方向の最大伸度は、４０％〜８０％が好ましく、４５％〜７５％がより好ましく、６０％が最も好ましい。
【００６０】
つぎに、本実施形態に係る手関節用バンデージ１００の本体部１０について、面ファスナーの耐久性試験（はく離強さ）の試験結果に基づいて説明する。
なお、面ファスナーの耐久性試験（はく離強さ）では、前述の官能評価の評価結果により、最も好ましい結果であった実施例２（経糸方向の最大伸度が６０％の本体部１０）を基準にして、他の伸縮織物と比較した。また、比較例としては、前述の官能評価に使用した比較例３に加えて、下記の表２に示す経糸１及び緯糸２の材質並びに緯糸２の打込み回数（本数）からなる市販の伸縮織物（以下、比較例４及び比較例５とそれぞれ称す）を用いた。
【００６１】
【表２】
2015133480.tif 000004
【００６２】
なお、実施例２と比較例３〜５との大きな相違点は、パイル糸のフィラメントカウントの相違であり、実施例２の１０本に対し、比較例４が７本であり、比較例５が１５本であり、比較例３がパイル糸を使用していない（面ファスナーのループ面を有していない）。
【００６３】
面ファスナーの耐久性試験（はく離強さ）は、日本工業規格のＪＩＳ  Ｌ３４１６「面ファスナ」の７．４．２「はく離強さ」に準拠し、１０００回の接着・はく離の繰り返しを行なった実験結果を下記の表３に示す。
【００６４】
【表３】
2015133480.tif 000005
【００６５】
実施例２は、表３に示すように、保持率（初期のはく離強さに対する耐久試験後のはく離強さの百分率）が比較例３〜５と比較して最も高く、手首に巻回して面ファスナーのフックで係着させる手関節用バンデージ１００に使用する本体部１０として最適であることがわかる。
特に、実施例２は、耐久試験後のはく離強さが初期のはく離強さに対して大きくなっている（保持率が１００％を超える）ため、手関節用バンデージ１００として長期間継続的に使用するうえで有利である。
なお、パイル糸のフィラメントカウントが多いことは、面ファスナーのフックがループに係着し易くなり、保持率が高くなる一方、最大伸度が低くなる。
比較例５は、パイル糸のフィラメントカウントが実施例２のパイル糸のフィラメントカウントよりも多いのであるが、外観の毛羽立ちを防ぐために樹脂加工が施されているため、面ファスナーのフックがループに係着し難くなり、初期のはく離強さ及び保持率が、実施例２の初期のはく離強さ及び保持率よりも低くなっている。
【００６６】
以上のように、手関節用バンデージ１００は、本体部１０で着用者の手関節を固定し、手の甲側から巻回する場合には、着用者の手関節の掌屈を制限し、手の平側から巻回する場合には、着用者の手関節の背屈を制限して、手関節の安定性を確保することができると共に、手関節に位置する腱に掛かる負荷を軽減することができる。
【００６７】
特に、手関節用バンデージ１００を着用していない場合には、手関節に疼痛があると、手関節への過負荷を代償する肘関節などにも負担が掛かり、二次的な疼痛を誘発する恐れがある。このため、手指や手関節を使用する頻度が高く、肘や肩関節前面に疼痛がある人は、手関節用バンデージ１００の着用により、手関節の疼痛から連鎖的に生じる肘及び肩関節の疼痛を軽減することができる。
【００６８】
なお、手関節の運動には、掌屈及び背屈の他に、橈屈及び尺屈があり、この橈屈及び尺屈は、日常生活で頻回に使用する動作であり、この動作に伴い、手から親指に向かって伸びている腱の炎症であるド・ケルヴァン症候群の発生頻度は高い。これに対し、手関節用バンデージ１００は、着用者の手関節の橈屈及び尺屈を制限することにより、ド・ケルヴァン症候群の予防や改善が期待できる。
【００６９】
また、図２に示す手関節用バンデージ１００は、例えば、本体部１０及びアンカー部２０の経糸１の経地糸１ａに緑色の糸を使用し、本体部１０の経糸１のパイル糸１ｂに黒色の糸を使用し、本体部１０及びアンカー部２０の経糸１の弾性糸１ｃに黒色の糸を使用し、本体部１０及びアンカー部２０の緯糸２に黒色の糸を使用すると共に、図６に示すように、共通の緯糸２に対して経地糸１ａを浮かせパイル糸１ｂを沈ませることにより、黒色の表地面に緑色の紋様１４が形成され、本体部１０の表地面の紋様１４に対応する本体部１０の裏地面の部分が黒色として本体部１０の緑色の裏地面に表れる。
なお、手関節用バンデージ１００は、これらの色彩に限られるものではなく、例えば、本体部１０の経糸１のパイル糸１ｂに虹色の七色（赤、橙、黄、緑、青、藍、紫）のいずれか一色の糸を使用し、本体部１０の紋様１４を除く表地面を虹色のいずれか一色にすることが考えられる。これにより、手関節用バンデージ１００は、七色のカラーバリエーションの商品群により、需要者の購買意欲を発揮させることができる。
また、手関節用バンデージ１００は、例えば、本体部１０の経糸１のパイル糸１ｂに蛍光色の糸を使用して本体部１０の紋様１４を除く表地面を蛍光色にすることにより、需要者の購買意欲を発揮させると共に、夜間の外出時に着用することで、自動車等のヘッドライトに照らされて目立ち、安全防災面にも寄与することが期待できる。
【００７０】
なお、本実施形態に係る本体部１０は、面ファスナーのループ面１３を有する場合について説明したが、面ファスナーのループ面１３を有しない伸縮織物であってもよい。
この場合に、本体部１０は、ループ面１３をなすパイル糸１ｂを必要とせず、パイル糸１ｂによるループを保持する融着糸２ｂを必要としない。
特に、本実施形態に係る本体部１０は、経糸１を構成するパイル糸１ｂの替わりに、前述の経地糸１ａ（以下、第１の経地糸１ａと称す）に対して緯糸２との交差浮沈を逆に対応させた経地糸１ａ（以下、第２の経地糸１ｄと称す）を用いている。
【００７１】
すなわち、経糸１は、図８に示すように、緯糸２と共に織物の一の面（例えば、裏地面）を構成する第１の経地糸１ａと、経糸方向に伸縮性を与える弾性糸１ｃと、緯糸２と共に織物の他の面（例えば、表地面）を構成する第２の経地糸１ｄと、を備える。
また、緯糸２は、第１の経地糸１ａと共に織物の裏地面を構成する緯地糸２ａを備える。
なお、図８（ｂ）及び図９（ｂ）においては、並設される緯糸２を基準にして、上側が表地面となり、下側が裏地面となる。
【００７２】
また、本体部１０は、ジャカードニードル織機を用いることにより、経糸方向（長手方向Ｌ）で隣り合う複数の緯糸２に対して、経糸１の第１の経地糸１ａ（例えば、緑色の糸）を表地面側に浮かせて（第２の経地糸１ｄ（例えば、黒色の糸）を裏地面側に沈ませて）、自由に開口するジャガード組織にて、文字、図形若しくは記号又はこれらの結合からなる紋様１４を表地面に部分的に形成することができる。
【００７３】
次に、図８を用いて本実施形態に係る織物組織の一例を説明する。すなわち、第１の経地糸１ａは、図８（ｂ）に示すように、１本の緯糸２（緯地糸２ａ）に対して上側を通って浮き、隣り合う３本の緯糸２（緯地糸２ａ）に対して下側を通って沈む、緯糸２（緯地糸２ａ）との１−３の交差浮沈を繰り返して、織物組織を構成する。
また、弾性糸１ｃは、図８（ｂ）に示すように、１本の緯糸２（緯地糸２ａ）に対して上側を通って浮き、１本の緯糸２（緯地糸２ａ）に対して下側を通って沈む、緯糸２（緯地糸２ａ）との１−１の交差浮沈を繰り返して、織物組織を構成する。
また、第２の経地糸１ｄは、図８（ｂ）に示すように、隣り合う３本の緯糸２（緯地糸２ａ）に対して上側を通って浮き、１本の緯糸２（緯地糸２ａ）に対して下側を通って沈む、緯糸２（緯地糸２ａ）との３−１の交差浮沈を繰り返して、織物組織を構成する。
なお、図８に示す第１の経地糸１ａ、弾性糸１ｃ及び第２の経地糸１ｄによる織物組織は、一例であり、この織物組織に限られるものではない。
【００７４】
続いて、図９を用いて本実施形態に係る紋様部分の織物組織の一例を説明する。すなわち、紋様１４をなす第１の経地糸１ａは、図９（ｂ）に示すように、隣り合う３本の緯糸２（緯地糸２ａ）に対して上側を通って浮き、１本の緯糸２（緯地糸２ａ）に対して下側を通って沈む、緯糸２（緯地糸２ａ）との３−１の交差浮沈を繰り返して、織物組織を構成する。
また、紋様１４をなす弾性糸１ｃは、図９（ｂ）に示すように、１本の緯糸２（緯地糸２ａ）に対して上側を通って浮き、１本の緯糸２（緯地糸２ａ）に対して下側を通って沈む、緯糸２（緯地糸２ａ）との１−１の交差浮沈を繰り返して、織物組織を構成する。
また、紋様１４をなす第２の経地糸１ｄは、図９（ｂ）に示すように、１本の緯糸２（緯地糸２ａ）に対して上側を通って浮き、隣り合う３本の緯糸２（緯地糸２ａ）に対して下側を通って沈む、緯糸２（緯地糸２ａ）との１−３の交差浮沈を繰り返して、織物組織を構成する。
なお、図９に示す第１の経地糸１ａ、弾性糸１ｃ及び第２の経地糸１ｄによる織物組織は、一例であり、表地面に紋様１４を形成することができるのであれば、この織物組織に限られるものではない。
【００７５】
ここで、本体部１０が面ファスナーのループ面１３を有しない伸縮織物であり、最大伸度を６０％（１．６０倍±０．１）に設定した実施形態について説明する。
【００７６】
本実施形態に係る本体部１０の第１の経地糸１ａ及び第２の経地糸１ｄは、太さ１００デニールのウーリーナイロン双糸が好ましく、本実施形態に係る本体部１０には、１５２本のウーリーナイロン双糸を第１の経地糸１ａ及び第２の経地糸１ｄにそれぞれ用いるのが好ましい。
【００７７】
また、本実施形態に係る本体部１０の弾性糸１ｃは、太さ５６０デニールのポリウレタン糸（例えば、東レ・オペロンテックス株式会社のポリウレタン弾性繊維「ライクラ（登録商標）ファイバー」）に２本の太さ１５０デニールのポリエステルウーリー（ＥＷ：polyester woolly）単糸をカバーリングしたカバーリング糸が好ましく、本実施形態に係る本体部１０には、４１本のカバーリング糸を用いるのが好ましい。
【００７８】
また、本実施形態に係る本体部１０の緯地糸２ａは、太さ１５０デニールのポリエステルウーリー糸（ＥＷ）１本を用いるのが好ましい。
さらに、本実施形態に係る本体部１０には、力織機により１本の緯地糸２ａが緯糸２として打込まれ、緯糸２（緯地糸２ａ）の打込み回数（本数）が２．５４ｃｍ（１インチ）当り３３．６回（３３．６本）である。
【００７９】
このように、本実施形態に係る本体部１０は、前述の経糸１及び緯糸２の材質（特に、弾性糸１ｃ及び緯地糸２ａの太さ）並びに緯糸２の打込み回数（本数）により、経糸方向（長手方向Ｌ）の最大伸度を６０％に設定することができる。
なお、本実施形態に係る本体部１０は、ナイロン４７％、ポリエステル４４％、ポリウレタン９％の混率であるが、この混率に限られるものではない。
【００８０】
ここで、本実施形態に係る手関節用バンデージ１００は、着用者の手首に本体部１０を巻回させた後に、本体部１０の他端１０ｂにある係着部３０（面ファスナーのフック面３３）を本体部１０に係着させる必要がある。
このため、面ファスナーのループ面１３を有しない本体部１０を手関節用バンデージ１００に使用する場合には、係着部３０が係着する本体部１０（巻回部１１）の表地面の対応範囲に、面ファスナーのループ面を有する別部材を配設することになる。
特に、本体部１０に別部材を配設する場合には、別部材により本体部１０の伸縮が阻害されることになるが、着用者の手首で親指を基準に一周した後の巻回部１１の一部の領域では、巻回部１１の伸縮をあまり必要としないため、この巻回部１１の領域に別部材を配設させることが好ましい。
【００８１】
また、本実施形態に係る手関節用バンデージ１００は、素肌に直接巻回する場合について説明したが、例えば、国際公開第２０１１／０９０１９２号パンフレットに開示される手関節サポーターや手袋を着用した手関節に対して、手関節サポーター上や手袋上に巻回することにより、素肌に対する手関節用バンデージ１００の滑りを無くし、手関節用バンデージ１００の作用効果を向上することができる。
なお、手関節用バンデージ１００を手袋上に巻回する場合には、手関節用バンデージ１００と手袋とをセットにすることもできる。
また、手関節用バンデージ１００を手袋（最大伸度が低い手袋が好ましい）上に巻回する場合には、手関節用バンデージ１００の一態様として、手関節用バンデージ１００のアンカー部２０を本体部１０から取り除き、本体部１０の一端１０ａを手袋の親指の付け根近傍に縫製することにより、手袋の親指をアンカー部２０として機能させることができる。
【符号の説明】
【００８２】
１      経糸
１ａ    経地糸（第１の経地糸）
１ｂ    パイル糸
１ｃ    弾性糸
１ｄ    第２の経地糸
２      緯糸
２ａ    緯地糸
２ｂ    融着糸
１０    本体部
１０ａ    一端
１０ｂ    他端
１１    巻回部
１２    支持部
１３    ループ面
１４    紋様
２０    アンカー部
２１    一端
２２    他端
３０    係着部
３１    長方形部分
３２    等脚台形部分
３３    フック面
４０    接合部
１００  手関節用バンデージ
【図１】
2015133480.tif 000006
【図２】
2015133480.tif 000007
【図３】
2015133480.tif 000008
【図４】
2015133480.tif 000009
【図５】
2015133480.tif 000010
【図６】
2015133480.tif 000011
【図７】
2015133480.tif 000012
【図８】
2015133480.tif 000013
【図９】
2015133480.tif 000014
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
面ファスナーのループ面を有する織物で織成され、着用者の手首に巻回される巻回部及び前記着用者の手の甲又は手の平から手首まで配置される支持部からなる帯状の本体部と、
前記本体部の一端に接合され、前記着用者の手の指が挿通されるアンカー部と、
前記本体部の他端に接合され、前記本体部のループ面に脱着する面ファスナーのフック面を有する係着部と、
を備え、
前記支持部が前記本体部の一端側に配設され、前記巻回部が前記本体部の他端側に配設され、かつ、前記支持部と前記巻回部が同幅の直線状であることを特徴とする手関節用バンデージ。
【請求項２】
（削除）
【請求項３】
請求項１に記載の手関節用バンデージにおいて、
前記本体部の長手方向の最大伸度が、４０％〜８０％であることを特徴とする手関節用バンデージ。
【請求項４】
請求項１又は３に記載の手関節用バンデージにおいて、
前記アンカー部は、帯状体の両端を前記本体部の一端に接合して環状に形成されることを特徴とする手関節用バンデージ。
【請求項５】
請求項４に記載の手関節用バンデージにおいて、
前記アンカー部と前記本体部の一端との接合部が、前記本体部の幅方向の長さよりも長く前記アンカー部側を凸にして縫製されることを特徴とする手関節用バンデージ。
【請求項６】
請求項１、３乃至５のいずれかに記載の手関節用バンデージにおいて、
前記着用者の左手又は右手の手首に着用可能な左右兼用であることを特徴とする手関節用バンデージ。
【請求項７】
請求項１、３乃至６のいずれかに記載の手関節用バンデージにおいて、
文字、図形若しくは記号又はこれらの結合からなる紋様が、前記本体部の表地面に形成されることを特徴とする手関節用バンデージ。
【請求項８】
請求項４に記載の手関節用バンデージにおいて、
前記アンカー部は、前記本体部のループ面を有する表地面側が小径部とし、前記本体部の裏地面側が大径部とする先細状の略円錐筒であることを特徴とする手関節用バンデージ。
【請求項９】
請求項１、３乃至８のいずれかに記載の手関節用バンデージと、
前記着用者の手に着用されるサポーター又は手袋と、
を備えることを特徴とする手関節用バンデージセット。
【請求項１０】
伸縮性を有する同幅の直線状の本体部を備えた手関節用バンデージを用いて着用者の手関節をサポートする方法（医療行為を除く）であって、
前記本体部の一端側を支点として、前記着用者の手の甲又は手の平から手首まで前記本体部の一部を配置させ、前記着用者の手首に前記本体部の残りの部分を巻回させ、前記本体部に前記本体部の他端側を係着させて、伸長状態の前記本体部により前記着用者の手の甲又は手の平及び手首をサポートするように前記手関節用バンデージを着用することを特徴とする手関節のサポート方法。
【手続補正２】
【補正対象書類名】明細書
【補正対象項目名】０００３
【補正方法】変更
【補正の内容】
【０００３】
が挿通される係止部（アンカー部）に自由度を持たせつつ、手関節の安定性を向上して、手関節への負担を軽減することができる手関節用バンデージを提供することを目的とする。
課題を解決するための手段
［０００８］
この発明に係る手関節用バンデージにおいては、面ファスナーのループ面を有する織物で織成され、着用者の手首に巻回される巻回部及び着用者の手の甲又は手の平から手首まで配置される支持部からなる帯状の本体部と、本体部の一端に接合され、着用者の手の指が挿通されるアンカー部と、本体部の他端に接合され、本体部のループ面に脱着する面ファスナーのフック面を有する係着部と、を備え、前記支持部が前記本体部の一端側に配設され、前記巻回部が前記本体部の他端側に配設され、かつ、前記支持部と前記巻回部が同幅の直線状であるものである。
なお、この発明において、「配置」とは「者（着用者の部位）に対する所定の位置に当てて止めて置くこと」を意味し、「配設」とは「物（手関節用バンデージ）に対する所定の位置に設けたこと」を意味する。
発明の効果
［０００９］
この発明に係る手関節用バンデージにおいては、手の指が挿通されるアンカー部に自由度を持たせつつ、手関節の安定性を向上して、手関節への負担を軽減することができる。
図面の簡単な説明
［００１０］
［図１］（ａ）は第１の実施形態に係る手関節用バンデージの概略構成を示す正面図であり、（ｂ）は図１（ａ）に示す手関節用バンデージの背面図である。
［図２］（ａ）は図１に示す本体部に紋様を形成した手関節用バンデージの概略構成を示す正面図であり、（ｂ）は図２（ａ）に示す手関節用バンデージの背面図である。
［図３］（ａ）は図１（ａ）に示す手関節用バンデージの左側面図であり、（ｂ）は図１（ａ）に示す手関節用バンデージの右側面図であり、（ｃ）は図１（ａ）に示す手関節用バンデージの平面図であり、（ｄ）は図１（ａ）に示す手関節用バンデージの底面図であり、（ｅ）は図１に示す手関節用バンデ
【国際調査報告】
2015133480.tif 000015
2015133480.tif 000016
2015133480.tif 000017
2015133480.tif 000018